【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
回転自在なドラム状の潜像担持体と、現像装置とを少なくとも有し、これらが一体的に、かつ画像形成装置に対して着脱自在に構成され、前記潜像担持体の直径は３３ｍｍ以下であり、前記現像装置は、トナーを収容する現像容器と、前記潜像担持体に接触して設けられる回転自在なロール状のトナー担持体と、前記トナー担持体に接触して設けられ、現像容器内のトナーをトナー担持体に供給する回転自在なロール状のトナー供給ローラと、前記現像容器内に回転自在に設けられ現像容器内のトナーを攪拌し、トナー供給ローラに向けて搬送するトナー搬送手段と、を有し、前記トナー担持体の直径は２０ｍｍ以下であり、前記トナー供給ローラの回転数に対する前記トナー搬送部材の回転数の比は０．１以上０．５以下であり、前記トナー担持体上のトナーコート量をＡ［ｍｇ／ｃｍ２］とし、前記現像容器のトナー充填率をＢ［ｇ／ｃｍ３］としたときに０．９Ｂ≦Ａ≦３Ｂを満たすプロセスカートリッジに用いられるトナーであって、少なくとも結着樹脂、着色剤、及びワックスを含有するトナー粒子を有し、メタノール濡れ性半値が３０〜８０％であることを特徴とする一成分トナー。
【請求項２】
前記トナー粒子中のワックスの含有量が１ｗｔ％以上１０ｗｔ％以下であることを特徴とする請求項１に記載の一成分トナー。
【請求項３】
前記メタノール濡れ性半値が４０〜７０％であることを特徴とする請求項１又は２に記載の一成分トナー。
【請求項４】
疎水化処理された外添剤を０．３ｗｔ％以上２．５ｗｔ％以下有することを特徴とする請求項１乃至３のいずれか一項に記載の一成分トナー。
【請求項５】
前記円形度標準偏差が０．０５０未満であることを特徴とする請求項１乃至４のいずれか一項に記載の一成分トナー。
【請求項６】
前記円形度標準偏差が０．０３０未満であることを特徴とする請求項１乃至５のいずれか一項に記載の一成分トナー。
【請求項７】
前記トナー担持体の径に対する前記トナー供給ローラの径の比が０．６以上１．３以下であることを特徴とする請求項１乃至６のいずれか一項に記載の一成分トナー。
【請求項８】
前記トナー供給ローラが、前記トナー担持体に接する部分で逆方向に回転し、かつ前記トナー担持体の回転数に対する前記トナー供給ローラの回転数の比が０．６以上１．５以下であることを特徴とする請求項１乃至７のいずれか一項に記載の一成分トナー。
【請求項９】
前記プロセスカートリッジは、前記潜像担持体に接触して設けられ潜
像担持体を帯電させる帯電部材を有することを特徴とする請求項１乃至８のいずれか一項に記載の一成分トナー。
【請求項１０】
前記プロセスカートリッジは、前記潜像担持体に接触して設けられ潜像担持体上の転写残トナーを除去するクリーニング部材を有することを特徴とする請求項１乃至９のいずれか一項に記載の一成分トナー。
【請求項１１】
前記現像装置は、前記トナー担持体に接触して設けられトナー担持体に担持されるトナーを規制してトナー担持体上におけるトナーコート量を制御するトナー規制部材を有することを特徴とする請求項１乃至１０のいずれか一項に記載の一成分トナー。
【請求項１２】
回転自在なドラム状の潜像担持体と、現像装置とを少なくとも有し、これらが一体的に、かつ画像形成装置に対して着脱自在に構成され、少なくとも結着樹脂、着色剤、及びワックスを含有するトナー粒子を有し、メタノール濡れ性半値が３０〜８０％である一成分トナーを静電潜像の現像に用いるプロセスカートリッジであって、前記潜像担持体の直径は３３ｍｍ以下であり、前記現像装置は、トナーを収容する現像容器と、前記潜像担持体に接触して設けられる回転自在なロール状のトナー担持体と、前記トナー担持体に接触して設けられ、現像容器内のトナーをトナー担持体に供給する回転自在なロール状のトナー供給ローラと、前記現像容器内に回転自在に設けられ現像容器内のトナーを攪拌し、トナー供給ローラに向けて搬送するトナー搬送手段と、を有し、前記トナー担持体の直径は２０ｍｍ以下であり、前記トナー供給ローラの回転数に対する前記トナー搬送部材の回転数の比は０．１以上０．５以下であり、前記トナー担持体上のトナーコート量をＡ［ｍｇ／ｃｍ２］とし、前記現像容器のトナー充填率をＢ［ｇ／ｃｍ３］としたときに０．９Ｂ≦Ａ≦３Ｂを満たすことを特徴とするプロセスカートリッジ。
【請求項１３】
前記トナー粒子中のワックスの含有量が１ｗｔ％以上１０ｗｔ％以下であることを特徴とする請求項１２に記載のプロセスカートリッジ。
【請求項１４】
前記メタノール濡れ性半値が４０〜７０％であることを特徴とする請求項１２又は１３に記載のプロセスカートリッジ。
【請求項１５】
前記一成分トナーが疎水化処理された外添剤を０．３ｗｔ％以上２．５ｗｔ％以下有することを特徴とする請求項１２乃至１４のいずれか一項に記載のプロセスカートリッジ。
【請求項１６】
前記円形度標準偏差が０．０５０未満であることを特徴とする請求項１２乃至１５のいずれか一項に記載のプロセスカートリッジ。
【請求項１７】
前記円形度標準偏差が０．０３０未満であることを特徴とする請求項１２乃至１６のいずれか一項に記載のプロセスカートリッジ。
【請求項１８】
前記トナー担持体の径に対する前記トナー供給ローラの径の比が０．６以上１．３以下であることを特徴とする請求項１２乃至１７のいずれか一項に記載のプロセスカートリッジ。
【請求項１９】
前記トナー供給ローラが、前記トナー担持体に接する部分で逆方向に回転し、かつ前記トナー担持体の回転数に対する前記トナー供給ローラの回転数の比が０．６以上１．５以下であることを特徴とする請求項１２乃至１８のいずれか一項に記載のプロセスカートリッジ。
【請求項２０】
前記潜像担持体に接触して設けられ潜像担持体を帯電させる帯電部材を有することを特徴とする請求項１２乃至１９のいずれか一項に記載のプロセスカートリッジ。
【請求項２１】
前記潜像担持体に接触して設けられ潜像担持体上の転写残トナーを除去するクリーニング部材を有することを特徴とする請求項１２乃至２０のいずれか一項に記載のプロセスカートリッジ。
【請求項２２】
前記現像装置は、前記トナー担持体に接触して設けられトナー担持体に担持されるトナーを規制してトナー担持体上におけるトナーコート量を制御するトナー規制部材を有することを特徴とする請求項１２乃至２１のいずれか一項に記載のプロセスカートリッジ。
【手続補正２】
【補正対象書類名】明細書
【補正対象項目名】００４５
【補正方法】変更
【補正の内容】
【００４５】
本発明では、トナー粒子に荷電制御剤が添加されることが好ましい。本発明に用いられる荷電制御剤としては、公知のものが使用できるが、重合阻害性がなく水系への可溶化物のない荷電制御剤が特に好ましい。具体的化合物としては、ネガ系としてサリチル酸、ナフトエ酸、ダイカルボン酸、それらの誘導体の金属化合物、スルホン酸を側鎖に持つ高分子化合物、ホウ素化合物、尿素化合物、ケイ素化合物、カリックスアレーン等が利用でき、ポジ系としては４級アンモニウム塩、該４級アンモニウム塩を側鎖に有する高分子型化合物、グアニジン化合物、イミダゾール化合物等が好ましく用いられる。該荷電制御剤は重合性単量体１００質量部に対し０．２〜１０質量部が好ましい。
【手続補正３】
【補正対象書類名】明細書
【補正対象項目名】００５５
【補正方法】変更
【補正の内容】
【００５５】
また、パルミチン酸、ステアリン酸、モンタン酸等の飽和直鎖脂肪酸類；ブラシジン酸、エレオステアリン酸、パリナリン酸等の不飽和脂肪酸類；ステアリルアルコール、アラルキルアルコール、ベヘニルアルコール、カルナウビルアルコール、セリルアルコール、メリシルアルコール等の飽和アルコール；ソルビトール等の多価アルコール類；リノール酸アミド等の脂肪酸アミド類；メチレンビスステアリン酸アミド等の飽和脂肪酸ビスアミド類；エチレンビスオレイン酸アミド等の不飽和脂肪酸アミド類；Ｎ，Ｎ’−ジステアリルイソフタル酸アミド等の芳香族ビスアミド類；ステアリン酸亜鉛等の脂肪酸金属塩；脂肪族炭化水素系ワックスにスチレン等のビニル系モノマーを用いてグラフト化させたワックス類；ベヘニン酸モノグリセリド等の脂肪酸と多価アルコールの部分エステル化物；植物性油脂の水素添加などによって得られるヒドロキシル基を有するメチルエステル化物なども用いることができる。
【手続補正４】
【補正対象書類名】明細書
【補正対象項目名】００６０
【補正方法】変更
【補正の内容】
【００６０】
同様の目的で以下の有機粒子や複合粒子を添加することもできる。このような粒子としては、例えばポリアミド樹脂粒子、シリコーン樹脂粒子、シリコーンゴム粒子、ウレタン粒子、メラミン−ホルムアルデヒド粒子、アクリル粒子等の樹脂粒子；ゴム、ワックス、脂肪酸系化合物、樹脂等と金属、金属酸化物、塩、カーボンブラック等の無機粒子とからなる複合粒子；テフロン（登録商標）、ポリフッ化ビニリデン等のフッ素樹脂；フッ化カーボン等のフッ素化合物；ステアリン酸亜鉛等の脂肪酸金属塩；脂肪酸、脂肪酸エステル等の脂肪酸誘導体；硫化モリブデン、アミノ酸及びアミノ酸誘導体等が挙げられる。
【手続補正５】
【補正対象書類名】明細書
【補正対象項目名】００７６
【補正方法】変更
【補正の内容】
【００７６】
図中におけるトナー担持体１１の上方位置には、ＳＵＳ等の金属板や、ウレタン、シリコーン等のゴム材料や、バネ弾性を有するＳＵＳ又はリン青銅の金属薄板を基体とし、トナー担持体１１への当接面側にゴム材料を接着したもの等からなるトナー規制部材１３が、自由端側の先端近傍をトナー担持体１１の外周面に面接触にて当接するように設けられており、その当接方向としては、当接部に対して先端側がトナー担持体１１の回転方向上流側に位置するいわゆるカウンター方向になっている。
【手続補正６】
【補正対象書類名】明細書
【補正対象項目名】０１２１
【補正方法】変更
【補正の内容】
【０１２１】
＜実施例１２〜１５＞
実施例１で用いたプロセスカートリッジにおいて、各種設定を表１に示す値にした以外は実施例１と同様にして評価した。
【手続補正７】
【補正対象書類名】明細書
【補正対象項目名】０１２５
【補正方法】変更
【補正の内容】
【０１２５】
＜比較例３〜６＞
実施例１で用いたプロセスカートリッジにおいて、各種設定を表１に示す値にした以外は実施例１と同様にして評価した。